(57)【要約】    【課題】２つの信号入力部と２つディスプレイ部を備え、メニューやモード選択手続き等をより容易に行うことのできる携帯端末機を提供する。    【解決手段】携帯端末機（移動通信端末機）１０は、所定の信号を入力する第１及び第２入力部（２２、２４）と、それぞれに異なるメニューが表示される第１及び第２ディスプレイ（１４、２６）と、前記第１入力部２２からの入力信号に基づいて前記第１ディスプレイ１４に表示されたメニューの項目の移動、選択及び実行を指示する一方、前記第２入力部２４からの入力信号に基づいて前記第２ディスプレイ２６に表示されたメニューの項目の移動、選択及び実行を指示する制御部と、を含んで構成される。【選択図】図１
2007124667.tif 000002
【特許請求の範囲】
【請求項１】
所定の信号を入力する第１及び第２入力部と、
それぞれに異なるメニューが表示される第１及び第２ディスプレイと、
前記第１入力部からの入力信号に基づいて前記第１ディスプレイに表示されたメニューの項目の移動、選択及び実行を指示する一方、前記第２入力部からの入力信号に基づいて前記第２ディスプレイに表示されたメニューの項目の移動、選択及び実行を指示する制御部と、
を含んで構成されることを特徴とする携帯端末機。
【請求項２】
第１本体部と、
前記第１本体部に連結される第２本体部と、を有し、
前記第１ディスプレイは前記第１本体部に設けられ、前記第２ディスプレイは前記第２本体部に設けられることを特徴とする請求項１記載の携帯端末機。
【請求項３】
１つのディスプレイを２つの表示領域に分割し、一方の表示領域を前記第１ディスプレイとし、他方の表示領域を前記第２ディスプレイとすることを特徴とする請求項１記載の携帯端末機。
【請求項４】
前記第２ディスプレイに表示されるメニューは、前記第１ディスプレイに表示されるメニューの下位メニュー又はサブメニューであることを特徴とする請求項１記載の携帯端末機。
【請求項５】
本体部と、
カバー部と、
前記本体部とカバー部とを相対回動可能に連結するヒンジ部と、を有し、
前記第１及び第２入力部は、前記ヒンジ部の両側に配置されることを特徴とする請求項１記載の携帯端末機。
【請求項６】
前記第１入力部がジョグダイアル又はジョグシャトルであり、
前記第２入力部をジョグダイアル、ジョグシャトル、マルチキー、サイドキー及びナビゲーションキーのうちのいずれかであることを特徴とする請求項１記載の携帯端末機。
【請求項７】
前記第１及び第２入力部は、前記本体部の前面を前記カバー部が覆うように折り畳んだ閉状態及び前記本体部の前面が露出するように前記カバー部を回動させた開状態のいずれにおいても露出して信号入力操作が可能に構成されることを特徴とする請求項５記載の携帯端末機。
【請求項８】
前記第１ディスプレイ、第２ディスプレイは、前記閉状態において対向する前記本体部の内側面、前記カバー部の内側面にそれぞれ設けられるとともに、
前記カバー部の外側面に、さらに外側ディスプレイが設けられることを特徴とする請求項５記載の携帯端末機。
【請求項９】
前記閉状態及び前記開状態のいずれにおいても動作可能なカメラを備え、
前記カメラによって撮影された映像は、前記閉状態にあるときは前記外側ディスプレイに表示され、前記開状態にあるときは前記第１ディスプレイ又は前記第２ディスプレイに表示されることを特徴とする請求項９記載の携帯端末機。
【請求項１０】
前記第１及び第２入力部は、前記閉状態において、文字若しくは番号の入力、時間設定、メニュー設定又はデスクトップ画像変更に関する信号を入力することを特徴とする請求項９記載の携帯端末機。
【請求項１１】
前記第１、第２入力部の表面又はその近傍に、該第１、第２入力部によって項目移動、選択及び実行が指示されるメニューが前記第１、第２ディスプレイのいずれに表示されるかを示す符号が設けられていることを特徴とする請求項１記載の携帯端末機。
【請求項１２】
前記第１及び第２ディスプレイの少なくも一方は、タッチスクリーンを含むことを特徴とする請求項１記載の携帯端末機。
【請求項１３】
カメラを備え、
前記カメラ機能を実行するカメラモードにおいて、撮影方法を含む撮影関連メニューが前記第１ディスプレイに表示され、
前記カメラにより撮影された映像の保存、再生、削除を含む編集関連メニューが前記第２ディスプレイに表示されることを特徴とする請求項１記載の携帯端末機。
【請求項１４】
ＴＶ又は動画を視聴するマルチメディア機能を有し、
該マルチメディア機能を実行するマルチメディアモードにおいて、マルチメディアの種類選択及び実行するためのメニューが前記第１ディスプレイに表示され、
画面大きさ、画面キャプチャ、ボリューム調節のうちの少なくとも一つを含むマルチメディア制御関連メニューが前記第２ディスプレイに表示されることを特徴とする請求項１記載の携帯端末機。
【請求項１５】
保存した音楽を再生する音楽再生機能を有し、
該音楽再生機能を実行する音楽再生モードにおいて、音楽再生に関する基本メニューが前記第１ディスプレイに表示され、
音量・音質関連メニューが前記第２ディスプレイに表示されることを特徴とする請求項１記載の携帯端末機。
【請求項１６】
文書表示モード又はメニューサーチモードにおいて、メインページ又は上位ディレクトリが前記第１ディスプレイに表示され、
詳細ページ又は下位ディレクトリが前記第２ディスプレイに表示されることを特徴とする請求項１記載の携帯端末機。
【請求項１７】
文字入力を行う文字入力モードにおいて、前記第１入力部は入力文字の種類を選択する信号を入力し、前記第２入力部は入力文字を選択する信号を入力することを特徴とする請求項１記載の携帯端末機。
【請求項１８】
前記第１及び第２入力部は回転操作によって前記項目の移動、選択を指示することを特徴とする請求項１記載の携帯端末機。
【請求項１９】
前記第１及び第２入力部は、押圧操作によって前記項目の実行を指示することを特徴とする請求項１８記載の携帯端末機。
【請求項２０】
本体部及びカバー部をヒンジ部によって回動可能に連結した折り畳み型の携帯端末機において、
前記ヒンジ部の軸方向の両側に配設される第１及び第２入力部と、
閉状態において対向する前記本体部の内側面と前記カバー部の内側面とのそれぞれに設けられる第１及び第２ディスプレイと、を備え、
開状態において、前記第１及び第２ディスプレイは互いに関連又は対応するメニューを表示するとともに、前記第１ディスプレイに表示されたメニューの項目の移動、選択及び実行を前記第１入力部により行い、前記第２ディスプレイの表示されたメニューの項目移動、選択及び実行を前記第２入力部によって行うことを特徴とする携帯端末機。
【発明の詳細な説明】
【技術分野】
【０００１】
本発明は携帯端末機に関し、特に、２つの信号入力部と２つディスプレイ部を備えた携帯端末機に関する。
【背景技術】
【０００２】
無線通信や音声、映像を表示することができる携帯端末機、例えば移動通信端末機は無線通信技術の発達によって有線電話と同等の通話品質を得られるとともに、その携帯を簡便に行えるように小型化されてきており、今や一般人の必需品となっている。
【０００３】
このような移動通信端末機は、送信者と受信者との間で無線通信技術を通じて通話を行うために使用されているが、近年の移動通信技術の発達に伴って、音楽出力、デジタルカメラ、テレビ（ＴＶ）、キャムコーダ、ゲーム、無線インターネットなどのような多様な機能が追加されている。多様な機能が追加された移動通信端末機は、これらの機能を選択するためのメニューも多くなり、メニューのディレクトリ構造も複雑になっている。
【０００４】
また、移動通信端末機の使用が一般化されるによって、使用者は生活に密接にかかわるような情報、すなわち、個人情報、電話帳、日程などをも移動通信端末機に保存するようになった。
【発明の開示】
【発明が解決しようとする課題】
【０００５】
このように、移動通信端末機は、入力される情報や選択できるメニューが多くなってきており、その結果、情報入力（文字入力）やメニュー選択手続きを容易に行えるようにしたり、そのための表示を効果的に行えるようにしたりする必要性が大きくなっている。
【０００６】
従来の移動通信端末機は、文字入力やメニュー選択のために、キーパッド、ジョイ・スティック、ジョグダイアル、ナビゲーションキーなど多様な入力装置を使用しているものの、増大した文字入力やメニュー選択に対しては、その操作性等の面で十分とは言えなかった。すなわち、上記入力装置では、特に多様な機能に対応するメニューやモードを選択する手続きが、比較的複雑で多くの時間がかかってしまうという問題点があった。
【０００７】
また、特に折り畳み型（開閉型）の移動通信端末機においては、閉状態でのメニューやモードの選択、情報入力などが制限されてしまい、所望の機能を実行するためには、一旦、移動通信端末機を開かなければならない、という不便さもあった。
【０００８】
本発明は、以上のような従来の問題点を解決するためになされたものであり、その目的は、２つの入力部及び２つのディスプレイ部を有する構成において、メニューやモード選択手続き等をより容易に行うことのできる携帯端末機を提供することにある。
【０００９】
また、メニューにおける項目の移動、選択及び実行をより簡単に行うことのできる携帯端末機を提供することにある。
【００１０】
さらには、その開閉状態にかかわらず信号入力が可能であり、特に閉状態でも多様な機能を実行することができる携帯端末機を提供することにある。
【課題を解決するための手段】
【００１１】
そのため、本発明に係る携帯端末機は、所定の信号を入力する第１及び第２入力部と、それぞれに異なるメニューが表示される第１及び第２ディスプレイと、前記第１入力部からの入力信号に基づいて前記第１ディスプレイに表示されたメニューの項目の移動、選択及び実行を指示する一方、前記第２入力部からの入力信号に基づいて前記第２ディスプレイに表示されたメニューの項目の移動、選択及び実行を指示する制御部と、を含んで構成される。
【００１２】
ここで、第１本体部と、前記第１本体部に連結される第２本体部と、を有し、前記第１ディスプレイは前記第１本体部に設けられ、前記第２ディスプレイは前記第２本体部に設けられる。また、１つのディスプレイを２つの表示領域に分割し、一方の表示領域を前記第１ディスプレイとし、他方の表示領域を前記第２ディスプレイとしてもよい。
【００１３】
また、本体部と、カバー部と、前記本体部とカバー部とを相対回動可能に連結するヒンジ部と、を有し、前記第１及び第２入力部は、前記ヒンジ部の両側に配置されるのが好ましい。そして、前記第１及び第２入力部は、前記本体部の前面を前記カバー部が覆うように折り畳んだ閉状態及び前記本体部の前面が露出するように前記カバー部を回動させた開状態のいずれにおいても露出して信号入力操作が可能に構成される。
【発明の効果】
【００１４】
本発明によれば、第１入力部からの入力信号に基づいて第１ディスプレイに表示されたメニューの項目の移動、選択及び実行を指示する一方、第２入力部からの入力信号に基づいて第２ディスプレイに表示されたメニューの項目の移動、選択及び実行を指示するようにしたので、メニューやモード選択手続き等をより容易に行うことができる。特に、第１ディスプレイに上位メニューを表示し、第２ディスプレイに上位メニューから選択されたメニューの下位メニューを表示するようにすれば、上位、下位メニューの双方が表示されているため、下位メニューでの項目選択を行っているときに、上位メニューの切り替えも容易に行えるという利点がある。
【００１５】
さらに、第１、第２入力部をヒンジ部の両側に配置し、閉状態及び開状態のいずれにおいても露出して信号入力操作が可能に構成すれば、閉状態においても多様な機能を実行できるという効果がある。
【発明を実施するための最良の形態】
【００１６】
以下、図面を参照して本発明の一実施形態に係る携帯端末機を詳しく説明する。
【００１７】
図１は、本発明の一実施形態に係る携帯端末機としての移動通信端末機を示し、（ａ）は閉状態、（ｂ）は開状態である。
【００１８】
図１に示すように、本実施形態に係る移動通信端末機１０は、いわゆる折り畳み型のものであり、閉状態においても露出する外側ディスプレイ（ｏｕｔ ｄｉｓｐｌａｙ）１２及び開状態において露出する第１内側ディスプレイ（以下、単に「第１ディスプレイ」という）１４が設けられたカバー部１６と、カメラ２１、第１ジョグダイアル２２及び第２ジョグダイアル２４が設置されてカバー部１６と本体部２８をヒンジ連結するヒンジ部２０と、第１ディスプレイ１２と同様、開状態において露出する第２内側ディスプレイ（以下、単に「第２ディスプレイ」という）２６が設けられた本体部２８と、を有する。
【００１９】
カバー部１６の外側ディスプレイ１２は、移動通信端末機１０が閉まった状態、すなわちカバー部１６が本体部２８を覆った状態であっても映像や情報を表示する。この外側ディスプレイ１２は、液晶表示装置（ＬＣＤ）、有機電界発光表示装置（ＯＬＥＤ）又は電界発光表示装置（ＬＥＤ）など多様な表示装置で構成されて各種映像を表示する。
【００２０】
第１ディスプレイ１４及び第２ディスプレイ２６は、移動通信端末機１０が開かれた状態、すなわち、カバー部１６と本体部２８とがヒンジ部２０を中心に所定開度に開いた状態で映像や情報を表示する。第１ディスプレイ１４と第２ディスプレイ２６とは、外側ディスプレイ１２と同様、液晶表示装置（ＬＣＤ）、有機電界発光表示装置（ＯＬＥＤ）又は電界発光表示装置（ＬＥＤ）など多様な表示装置で構成されて各種映像を表示する。ここで、第１内側ディスプレイ１４及び第２内側ディスプレイ２６は、それぞれ第１タッチスクリーン１５、第２タッチスクリーン２７を含んでおり、映像を表示するだけでなく、その表面に触れられることで情報が入力される入力機能も有している。
【００２１】
また、第１ディスプレイ１４及び第２ディスプレイ２６は、互いに連関又は対応する映像や情報を表示する。例えば、第１ディスプレイ１４には、上位メニュー又はメインメニューが表示され、第２ディスプレイ２６には、第１ディスプレイ１４に表示される上位メニュー又はメインメニューの下位メニュー又はサブメニューが表示される。このとき、第１内側ディスプレイ１４に表示されるメインメニューと、第２ディスプレイ２６に表示されるサブメニューとは、使用者が設定したメニューにおけるツリー構造上の上下の相対的な関係にある。例えばメインメニューが最上位メニューであれば、サブメニューは最上位メニューの下位メニューであることがあり、反対に、サブメニューが最下位メニューである実行データのリストの場合には、メインメニューは実行データのリストの上位メニューである。
【００２２】
第１ディスプレイ１４と第２ディスプレイ２６に表示されるメニューを例示的に整理すれば下記表１のようである。
【００２３】
【表１】
2007124667.tif 000003
【００２４】
一方、ヒンジ部２０に設けられたカメラ２１は、被写体を撮影して映像を提供する。カメラ２１は、移動通信端末機１０の開閉に無関係に、すなわち、開状態と閉状態とのいずれの状態においても作動する。カメラ２１によって撮影された映像は、移動通信端末機１０が閉状態にあるときは外側ディスプレイ１２に表示され、開状態にあるときは第１ディスプレイ１４又は第２ディスプレイ２６に表示されるようになっている。
【００２５】
第１ジョグダイアル２２と第２ジョグダイアル２４とは、カメラ２１を挟んでヒンジ部２０の両端に配設されている。第１ジョグダイアル２２及び第２ジョグダイアル２４は、図１（ａ）に示す移動通信端末機１０の閉状態と、図１（ｂ）に示す移動通信端末機１０の開状態との両方で外部に露出しており、それぞれ所定の信号の入力が可能である。このため、第１ジョグダイアル２２及び第２ジョグダイアル２４は、マルチ信号を入力するマルチ入力部又はマルチ入力デバイス２５として機能する。
【００２６】
第１ジョグダイアル２２及び第２ジョグダイアル２４は、例えば、移動通信端末機１０の閉状態において、簡単な文字の入力や電話番号の入力、時間設定、メニュー設定、デスクトップ画像変更のような作業を実行するために使用される。したがって、使用者は移動通信端末機が閉状態であっても（すなわち、開操作を行うことなく）、第１、２ジョグダイアル(２２、２４)を利用して電話通話やメッセージ送信など簡単な操作が可能である。
【００２７】
第１ジョグダイアル２２及び第２ジョグダイアル２４は、その回転（操作）量によってそれぞれ第１ディスプレイ１４に表示されるメインメニュー及び第２ディスプレイ２６に表示されるサブメニューの実行や項目移動を指示することができる。
【００２８】
例えば、使用者が開状態にある移動通信端末機１０を両手で保持した状態で、左右それぞれの手の指（例えば、親指）で第１ジョグダイアル２２、第２ジョグダイアル２４を回転させることにより、第１ディスプレイ１４及び第２ディスプレイ２６に表示されるメインメニューとその詳細メニューの項目移動を行うことができる。
【００２９】
一方、第１、２ジョグダイアル(２２、２４)の側面に垂直入力によって特定の入力信号を発生する入力ボタンが形成されたり、第１、２ジョグダイアル(２２、２４)自体が弾性支持されて垂直入力によって特定の入力信号を発生したりするように構成することもできる。この場合、例えば、回転操作によってメニュー内の項目の移動、選択を行い、垂直入力操作（すなわち、押圧操作）よって移動又は選択した項目の実行を行う。また、垂直入力操作によってメニューやモードの切り替えなどを行うようにしてもよい。
【００３０】
第１ジョグダイアル２２及び第２ジョグダイアル２６が、それぞれ第１ディスプレイ１４及び第２ディスプレイ２６に表示されるメインメニューとその詳細メニューの項目移動や実行を指示する例を例示的に整理すれば下記表２のようである（表１に対応）。
【００３１】
【表２】
2007124667.tif 000004
【００３２】
例えば、カメラ／ビデオモードにおいて、カメラ２１によって撮影された映像を第１ディスプレイ１４に表示し、映像処理メニューを第２ディスプレイ２６に表示する場合には、第１ジョグダイアル２２は第１ディスプレイ１４に表示される映像を撮影し保存したりするための撮影信号を入力し、第２ジョグダイアル２６は第１ディスプレイ１４に表示される映像を保存、再生、削除、映像合成などの映像処理メニューを選択する選択信号を入力する。
【００３３】
また、マルチメディアモードにおいては、第１ジョグダイアル２２はテレビ映像及び動画などマルチメディアの種類の選択及び実行に関するメニューを選択し、第２ジョグダイアル２４は画面大きさ、画面キャプチャ、ボリューム調節などのテレビ映像及び動画の制御に関する詳細メニューを選択することができる。
【００３４】
また、ＭＰ３ファイルのような音楽再生モードにおいては、第１ジョグダイアル２２はメインメニューを選択し、第２ジョグダイアル２４はボリュームやイコライザーを調節するようにすることができる。
【００３５】
さらに、文書表示、メニューサーチ又はメッセージ問い合わせモードにおいては、第１ジョグダイアル２２はメインページ又は上位ディレクトリを選択し、第２ジョグダイアル２４は詳細ページ又は下位ディレクトリを選択することができる。
【００３６】
図１（ｂ）に示すように、移動通信端末機１０の開状態において、ヒンジ部２４には第１ジョグダイアル２２及び第２ジョグダイアル２４がそれぞれ第１ディスプレイ１４及び第２ディスプレイ２６に表示されるメニューやモードのいずれに対応するのかが分かるように符号２３が印刷又は刻印等されている。このような符号としては、例えば、図１（ｂ）に示されるような三角形（△、▽）が用いられ、第１ジョグダイアル２２、第２ジョグダイアル２４に近接して配置される。したがって、使用者は、このような符号２３を通じて、第１ジョグダイアル２２は第１ディスプレイ１４に表示されるメインメニューの項目を移動させ、第２ジョグダイアル２４は第２ディスプレイに表示されるサブメニューの項目を移動させることが分かる。
【００３７】
図２は、本実施形態に係る移動通信端末機のシステム構成図である。
【００３８】
図２に示すように、本実施形態に係る移動通信端末機１０は、すでに説明したように、外側ディスプレイ（ｏｕｔ ｄｉｓｐｌａｙ）１２、第１（内側）ディスプレイ１４、第（内側）２ディスプレイ２６、カメラ部２１及び第１ジョグダイアル２２と第２ジョグダイアル２４とを含むマルチ入力部２５の他にも、移動通信端末機１０の全般的な動作を制御する制御部３０と、アンテナ（ＡＮＴ）を通じてＲＦ信号を送受信する無線回路部３２と、各種データやプログラムを保存するメモリー部３４とをさらに含んで構成される。
【００３９】
第１ディスプレイ１４及び第２ディスプレイ２６は、それぞれタッチスクリーン（１５、２７）を含み、映像を表示するだけでなく入力機能も実行することができる。
【００４０】
これらの機能や動作等は公知であるので具体的な説明は省略することとし、制御部３０の主な機能のみをさらに詳しく説明する。
【００４１】
制御部３０は、第１、２ジョグダイアル(２２、２４)から信号（マルチ信号）の入力受けて該入力信号にしたがった動作を行うように制御する。すなわち、制御部３０は、第１、２ジョグダイアル（２２、２４）の操作に応じて、それぞれ第１ディスプレイ１４に表示されるメインメニュー、第２ディスプレイ２６に表示されるサブメニューの各項目を移動するように制御して、その結果を第１ディスプレイ１４と第２ディスプレイ２６に表示する。
【００４２】
また、制御部３０は、第１、２ジョグダイアル（１４、２６）の回転操作や垂直入力に応じて、各メニュー内での項目移動及び項目の選択・実行などを行う（表２参照）。
【００４３】
図３〜図６は、本実施形態に係る移動通信端末機の使用状態例を示す図である。
【００４４】
図３は、第１ディスプレイ１４にメインメニューが表示された状態を示している。第１ディスプレイ１４、は電話機能、画面設定、日程管理、カメラ、ＭＰ３のような移動通信端末機１０のメインメニューを表示し、第２ディスプレイ２６は各メインメニューの詳細メニューを表示する。例えば、第１ディスプレイ１４のメインメニューのうち電話機能が選択されると、第２ディスプレイ２６には、電話帳、短縮番号管理、通話リスト、電話使用時間、ｆａｖｏｒｉｔｅのような電話機能に関する詳細メニューを表示する。
【００４５】
第１ジョグダイアル２２を回転させると、第１ディスプレイ１４に表示されたメインメニュー内の各項目を移動して指示・操作等の対象を選択することができ、第２ジョグダイアル２４を回転させると、第２ディスプレイ２６に表示された詳細メニュー内の各項目を移動して指示・操作等の対象を選択することができる。
【００４６】
図４は、第１ディスプレイ１４に表示されたメインメニューから「電話機能」が選択された「電話機能モード」において、第２ジョグダイアル２４を下方に回転させて第２ディスプレイ２６に表示された詳細メニューから「通話リスト」を選択するときの画面を示している。図５は、第１ディスプレイ１４に表示されたメインメニューから第１ジョグダイアル２２を下方に回転させて「カメラ」を選択したときの画面であり、このとき第２ディスプレイ２６にはカメラ機能に関する詳細メニューが表示される。図６は、第１ディスプレイ１４に表示されたメインメニューが「カメラ」が選択された「カメラモード」において、第２ジョグダイアル２４を下方に回転させて「特殊撮影」を選択するときの画面である。
【００４７】
このようにして、使用者は、開状態の移動通信端末機１０を保持し、左右それぞれの指（例えば、親指）を利用して第１、２ジョグダイアル(２２、２４)を回転させることで、第１ディスプレイ１４に表示されたメインメニューからの項目選択と、第２ディスプレイ２６に表示された詳細メニュー（メインメニューから選択された機能に関する詳細メニュー）からの項目選択とを行うことができる。
【００４８】
図７〜図９は、本実施形態に係る移動通信端末機の他の使用状態例を示す図である。
【００４９】
この使用状態では、第１ディスプレイ１４に各機能の詳細メニューを表示し、第２ディスプレイ２６に各詳細メニューの実行画面やサブメニューを表示する。図７は、第１ディスプレイ１４にカメラ機能（カメラモード）の詳細メニュー、例えば、写真撮影、ビデオ撮影、特殊撮影、ビデオアルバム、スライドショーを表示し、この詳細メニューから「特殊撮影」が選択された状態を示しており、第２ディスプレイ２６には、「特殊撮影」の実行画面（撮影映像）が表示されている。
【００５０】
第１ジョグダイアル２２を回転させることにより、第１ディスプレイ１４に表示された詳細メニュー内から所定のカメラ機能を選択し、第２ジョグダイアル２６を回転させることにより、上記選択された機能の実行を入力したり、詳細メニューのサブメニューを選択したりする。
【００５１】
図８は、カメラモードにおいて、第１ジョグダイアル２２を下方に回転させて「ビデオアルバム」を選択した状態を示す画面であり、このとき、第２ディスプレイ２６にはビデオアルバムのサブメニューが表示される。図９は、第１ディスプレイ１４に表示される詳細メニューで「ビデオアルバム」が選択されたビデオアルバムモードにおいて、第２ジョグダイアル２４を下方に回転させてビデオアルバムのサブメニュー、例えば、撮影モード、ビデオ送り、アルバムサーバー送信、名前編集、ファイル情報の中から名前編集を選択するときの画面である。
【００５２】
このようにして、使用者は、開状態の移動通信端末機１０を保持し、左右それぞれの指（例えば、親指）を利用して第１、２ジョグダイアル（２２、２４）を回転することで、詳細メニューから項目選択と、その選択した項目の実行やサブメニューの選択とを行うことができる。
【００５３】
以上、図面を参照して本発明の実施形態を説明したが本発明はこれに制限されない。
【００５４】
すなわち、上記実施形態では、第１、第２ジョグダイアル（２２、２４）は、第１、第２ディスプレイ（１４、２６）に表示されるメインメニュー内、サブメニュー内それぞれにおける項目移動や実行を指示することを説明したが、本発明はこれに制限されない。例えば、１つのディスプレイ（例えば、外側ディスプレイ１２、第１ディスプレイ１４、第２ディスプレイ２６のいずれか）を、横方向又は縦方向に２つの表示領域に分割し、分割した表示領域のそれぞれに表１に記載したメインメニューとサブメニューを表示するようにしてもよい。この場合には、例えば、所定の切り替え操作によって、第１、第２ジョグダイアル（２２、２４）が、１つのディスプレイに分割表示されたメインメニュー内、サブメニュー内の項目移動や実行をそれぞれ指示するようにすればよい。
【００５５】
このように、１つのディスプレイが分割されて２つに表示領域を有する移動通信端末機の一例（他の実施形態）を図１０に示す。図１０において、移動通信端末機５０は、カバー部５６、ヒンジ部６０、メインボディ６８を含んで構成される。カバー部５６には、２つの表示領域（５２、５３）に分割されたディスプレイ５４が設けられている。この２つの表示領域（５２、５３）には、上記実施形態（図１参照）で説明した第１、第２ディスプレイ（１５、１７）と同様に、互いに連関又は対応する映像や情報が表示される。例えば、第１表示領域５２には、ツリー構造に基づいて上位メニュー又はメインメニューが表示され、第２表示領域５３には、下位メニュー又はサブメニューが表示される。
【００５６】
また、上記実施形態では、主に無線通話に使われる移動通信端末機を説明したが、本発明は移動通信端末機に制限されず、それ以外の情報家電やＭＰ３プレーヤーなどの音声・映像装置を含む各種携帯端末機にも適用することができる。
【００５７】
また、上記実施形態では、いわゆる折り畳み型の移動通信端末機を説明したが、本発明はこれに制限されず、回転型、スイング型、スライド型、ストレート型などの様々なタイプの移動通信端末機に適用することができる。
【００５８】
また、上記実施形態では、外側ディスプレイ、第１（内側）ディスプレイ及び第２（内側）ディスプレイを有する移動通信端末機を説明したが、本発明はここに制限されず、こられのディスプレイのうちの一部のみを有する移動通信端末機に適用することができ、また、そのディスプレイはタッチスクリーンを含まないこともある。
【００５９】
また、上記実施形態では、第１、第２ジョグダイアルがそれぞれ第１ディスプレイ、第２ディスプレイに表示されるメインメニューとそのサブメニューにおける項目移動や実行を指示することを説明したが、本発明は、メインメニューとそのサブメニューが表示されるディスプレイ部の構成にかかわらず、第１、第２ジョグダイアルがメインメニューとそのサブメニュー、または上位メニューとその下位メニューにおける項目移動（選択）や実行を指示するように構成することもできる。例えば、上述したように１つのディスプレイを分割して２つに表示領域を有する場合、第１表示領域に表示された上位メニュー又はメインメニューの項目移動や選択、実行を第１ジョグダイアルによって行い、第２表示領域に表示された下位メニュー又はサブメニューの項目移動（選択）や実行を第２ジョグダイアルによって行うようにすることができる。
【００６０】
また、第１、第２ジョグダイアルは、上位、下位メニューというような階層関係の有無にかかわらず、第１ディスプレイ及び第２ディスプレイに表示されるメニューの項目移動及び実行を指示することもできる。
【００６１】
さらに、第１、第２ジョグダイアルは、メニュー内の項目移動（選択）や実行に使用されるだけではなく、文書入力にも使用される。例えば、文字入力モードにおいて、第１ジョグダイアルを回転させてハングルの子音を選択し、第２ジョグダイアルを回転させてハングルの母音を選択してハングル入力するとか、第１ジョグダイアルを回転させてハングルを選択し、第２ジョグダイアルを回転させて英文字を選択してハングルと英文が混合した文書作成に使用することもできる。また、第１ジョグダイアルを回転させて入力文字の種類を選択し、第２ジョグダイアルを回転させて入力文字を選択することも可能である。
【００６２】
さらにまた、第１、第２ジョグダイアルは、ディスプレイに表示される二つのポインタ又はカーソルをそれぞれ移動させる信号を発生するように構成することもできる。例えば、マルチメディアゲーム機能が支援される移動通信端末機において、ディスプレイに表示される２つのポインタを移動させる信号を第１、第２ジョグダイアルの回転操作によって発生させるようにすることもできる。この場合、２つのポインタは、１つのディスプレイに表示されていてもよいし、２つのディスプレイにそれぞれ表示されてもよい。
【００６３】
なお、マルチ入力部としてのジョグダイアルに代えてジョグシャトルその他の構成としてもよいことはもちろんである。
【００６４】
すなわち、キーパッドやサイドキー、ナビゲーションキー、マルチキー、ジョイ・スティックなどの入力装置と第１、２ジョグダイアルと組み合わせてマルチ信号を入力することもできる。例えば、入力部の１つを第１ジョグダイアル（又は第１ジョグシャトル）とし、もう１つを第２ジョグダイアル（又は第２ジョグショトル）、マルチキー、サイドキー、ナビゲーションキーのうちのいずれかとすることができる。この場合において、２つの入力部を両側に配置して互いに関連又は対応するマルチ信号を入力することもできる。
【００６５】
また、上記実施形態では、第１、第２ジョグダイアルが信号入力するディスプレイを示すために符号が第１、第２ジョグダイアルに近接して設けられることを説明したが、第２、第２ジョグダイアルがどちらのディスプレイに対応しているかを示すことができればこれに限られないことは言うまでもない。例えば、上記符号を第１、第２ジョグダイアル上に直接設けるようにしたり、第１、第２ディスプレイ上に入力の初期段階において一時的に表示されるようにしたりすることもできる。また、第１、第２ジョグダイアルの色を異ならせて両者を区分するようにしてもよい。
【００６６】
また、上記実施形態では、第１、第２ジョグダイアルがヒンジ部の両端に設置されることを説明したが、カバー部や本体部の両端など他の位置に設けられてもよいことはもちろんである。
【００６７】
また、上記実施形態では、外側ディスプレイ、第１（内側）ディスプレイ及び２（内側）ディスプレイを有する移動通信端末機とし、その設置位置や表示内容を説明したが、これに制限されない。例えば、第１ディスプレイに下位メニューやサブメニューが表示され、第２ディスプレイに上位メニューやメインメニューが表示されてもよく、さらに、別途の表示切替手段等によって第１、第２ディスプレイの表示内容をスイッチングされるようにしてもよい。これは、１つのディスプレイを分割して２つ又はそれ以上の表示領域とした場合についても同様である。
【００６８】
以上、実施形態に基づいて本発明を説明したが、当業者であれば本発明の技術的思想を逸脱しない範囲内でさまざまな修正、変形、変更が可能であることは言うまでもない。
【００６９】
したがって、そのような修正、変形、変更も本発明の技術的範囲に属するものである。
【図面の簡単な説明】
【００７０】
【図１】本発明の一実施形態に係る移動通信端末機を示し、（ａ）は閉状態、（ｂ）は開状態を示す図である。
【図２】上記実施形態に係る移動通信端末機のシステム構成図である。
【図３】上記実施形態に係る移動通信端末機の使用状態例を示す図である。
【図４】上記実施形態に係る移動通信端末機の使用状態例を示す図である。
【図５】上記実施形態に係る移動通信端末機の使用状態例を示す図である。
【図６】上記実施形態に係る移動通信端末機の使用状態例を示す図である。
【図７】上記実施形態に係る移動通信端末機の他の使用状態例を示す図である。
【図８】上記実施形態に係る移動通信端末機の他の使用状態例を示す図である。
【図９】上記実施形態に係る移動通信端末機の他の使用状態例を示す図である。
【図１０】本発明の他の実施形態に係る移動通信端末機を示す図である。
【符号の説明】
【００７１】
１０…移動通信端末機
１２…外側ディスプレイ
１４…第１（内側）ディスプレイ
１６…カバー部
２０…制御部
２１…カメラ
２２…第１ジョグダイアル
２４…第２ジョグダイアル
２６…第２（内側）ディスプレイ
２８…本体部
【図１】
2007124667.tif 000005
【図２】
2007124667.tif 000006
【図３】
2007124667.tif 000007
【図４】
2007124667.tif 000008
【図５】
2007124667.tif 000009
【図６】
2007124667.tif 000010
【図７】
2007124667.tif 000011
【図８】
2007124667.tif 000012
【図９】
2007124667.tif 000013
【図１０】
2007124667.tif 000014